(57)【要約】【課題】  計測された被検者の生体情報から将来的な健康状態の推移を予測して提供する社会的に貢献度の高い生体情報活用システムを提供すること、また、複数の被検者に関わる生体情報からも健康状態の推移を予測するさらに精度の高い生体情報活用システムの提供。【解決手段】  測定者の生体情報を測定する生体情報測定部１０２と、前記生体情報測定１０２で生体情報を測定する際の指定条件を前記測定者に通知する指定条件通知部１０７と、前記測定者が前記生体情報測定部１０２で生体情報を測定したときの測定条件を自動的に認識する測定条件認識部１０３と、前記指定条件通知部１０７で通知した前記指定条件と、前記測定条件認識部１０３で認識した前記測定条件とを比較する条件比較部１０８と、前記条件比較部１０３で比較した比較結果を提示する提示部１０７とを備える。【選択図】      図１
2005305134.tif 000002
【特許請求の範囲】
【請求項１】
測定者の生体情報を測定する生体情報測定手段と、
前記生体情報測定手段で生体情報を測定する際の指定条件を前記測定者に通知する指定条件通知手段と、
前記測定者が前記生体情報測定手段で生体情報を測定したときの測定条件を自動的に認識する測定条件認識手段と、
前記指定条件通知手段で通知した前記指定条件と、前記測定条件認識手段で認識した前記測定条件とを比較する条件比較手段と、
前記条件比較手段で比較した比較結果を提示する提示手段と
を備える生体情報処理装置。
【請求項２】
さらに、前記条件比較手段での比較結果に基づき、前記指定条件に対する遵守度合を作成する遵守度合作成手段を備え、
前記提示手段は、前記遵守度合作成手段で作成された遵守度合を提示する請求項１に記載の生体情報処理装置。
【請求項３】
さらに、自動では認識できない付加情報が入力される付加情報入力手段を備え、
前記条件比較手段は、前記指定条件と前記付加情報とを比較する請求項２に記載の生体情報処理装置。
【請求項４】
さらに、前記生体情報測定手段で測定した前記生体情報と、前記測定条件認識手段で作成した前記測定条件と、前記付加情報入力手段で入力された前記付加情報とを対応づけて記憶する情報蓄積手段と、
前記遵守度合に基づき前記情報蓄積手段に前記生体情報、前記測定条件及び前記付加情報を蓄積するか否かを判断する蓄積判断手段と
を備える請求項３に記載の生体情報処理装置。
【請求項５】
さらに、前記遵守度合に基づき再測定するか否かを判断する再測定情報作成手段を備え、
前記提示手段は、前記再測定情報作成手段が再測定の必要ありと判断して再測定情報を作成した場合に、当該再測定情報を提示する請求項２に記載の生体情報処理装置。
【請求項６】
さらに、前記測定者が指定条件にしたがって測定する意欲を向上させるフィードバック情報を前記遵守度合に基づき作成するフィードバック情報作成手段を備え、
前記提示手段は、前記フィードバック情報を提示する請求項２に記載の生体情報処理装置。
【請求項７】
生体に関連する情報を測定者から取得する生体情報測定装置と、この生体情報測定装置から前記生体情報を収集する生体情報収集装置とを備え、
前記生体情報収集装置は、
前記生体情報測定装置で生体情報を測定する際の指定条件を作成する指定条件作成手段と、
前記指定条件を出力する収集装置側出力手段と
を備え、
前記生体情報測定装置は、
前記指定条件を入力する測定装置側入力手段と、
前記指定条件作成手段で作成された前記指定条件を前記測定者に通知する指定条件通知手段と、
前記測定者の生体情報を測定する生体情報測定手段と、
前記測定者が前記生体情報測定手段で前記生体情報を測定したときの測定条件を自動的に認識する測定条件認識手段と、
前記生体情報と前記測定条件とを出力する測定装置側出力手段と
を備え、
前記生体情報収集装置は、さらに、
前記生体情報と前記測定条件とを入力する収集装置側入力手段と、
前記指定条件と前記測定条件とを比較する条件比較手段と
を備え、
前記収集装置側出力手段は、前記条件比較手段で比較した結果を出力する、生体情報処理システム。
【請求項８】
前記生体情報収集装置はさらに、
前記条件比較手段での比較結果に基づき、前記指定条件に対する遵守度合を作成する遵守度合作成手段を備え、
前記収集装置側出力手段は、前記遵守度合作成手段で作成された前記遵守度合を出力する、請求項７に記載の生体情報処理システム。
【請求項９】
前記生体情報収集装置はさらに、
前記生体情報と前記測定条件とを対応づけて記憶する情報蓄積手段と、
前記遵守度合に基づき前記情報蓄積手段に前記生体情報及び前記測定条件を蓄積するか否かを判断する蓄積判断手段とを備える、請求項７に記載の生体情報処理システム。
【請求項１０】
前記生体情報測定装置はさらに、
自動では認識できない付加情報が入力される付加情報入力手段を備え、
前記測定装置側出力手段はさらに、前記付加情報を出力し、
前記収集装置側入力手段はさらに、前記付加情報を入力し、
前記条件比較手段はさらに、前記指定条件と前記付加情報とを比較する、請求項７に記載の生体情報処理システム。
【請求項１１】
前記生体情報収集装置はさらに、
前記測定者が指定条件にしたがって測定する意欲を向上させるフィードバック情報を前記遵守度合に基づき作成するフィードバック情報作成手段を備え、
前記収集装置側出力手段は、前記フィードバック情報を出力する請求項７に記載の生体情報処理システム。
【請求項１２】
生体に関連する情報を測定者から取得する生体情報測定装置から前記生体情報を収集する生体情報収集装置であって、
前記生体情報測定装置で生体情報を測定する際の指定条件を作成する指定条件作成手段と、
前記指定条件を出力する出力手段と、
前記測定者が前記生体情報測定装置で測定した生体情報と前記生体情報を測定したときの測定条件とを前記生体情報測定装置から取得する入力手段と、
前記指定条件と前記測定条件とを比較する条件比較手段と
を備え、
前記出力手段は、前記条件比較手段で比較した結果を出力する生体情報収集装置。
【請求項１３】
さらに、前記条件比較手段での比較結果に基づき、前記指定条件に対する遵守度合を作成する遵守度合作成手段を備え、
前記出力手段は、前記遵守度合作成手段で作成された前記遵守度合を出力する、請求項１２に記載の生体情報収集装置。
【請求項１４】
さらに、前記生体情報と前記測定条件とを対応づけて記憶する情報蓄積手段と、
前記遵守度合に基づき前記情報蓄積手段に前記生体情報及び前記測定条件を蓄積するか否かを判断する蓄積判断手段とを備える、請求項１２に記載の生体情報収集装置。
【請求項１５】
測定者が生体情報を測定する際の指定条件を前記測定者に通知するステップと、
前記測定者の前記生体情報を測定するステップと、
前記生体情報を測定したときの測定条件を自動的に認識するステップと、
前記指定条件と前記測定条件とを比較するステップと、
前記条件比較ステップで比較した比較結果を提示するステップと
を含む生体情報処理方法。
【請求項１６】
請求項１５に記載の生体情報処理方法に含まれるステップをコンピュータに実行させるための生体情報処理プログラム。
【発明の詳細な説明】
【技術分野】
【０００１】
本発明は、測定者の生体情報と生体情報を測定したときの測定条件とを対応づけてデータを収集する生体情報処理装置、生体情報処理システムに関するものである。
【背景技術】
【０００２】
従来のデータ収集システムとしては、測定者が測定データを送信することで、データ収集装置が前記データを収集し、収集したデータを管理し処理することを可能にしたものがある（例えば、特許文献１参照）。
【０００３】
図１６は、前記特許文献１に記載された従来のデータ収集システムおよびデータ収集方法を示すものである。
【０００４】
図１６において、データ測定者は、データ測定装置１０を用いて測定対象の生体情報である測定データ５０を測定し、無線通信リンク６０を介して測定データ５０を直接データ収集装置２０に送信し、データ処理装置３０は、データ収集装置２０から受信した測定データに対応した処理を行う。
【特許文献１】特開２００２-２９１０６９号公報（第８頁、図１）
【発明の開示】
【発明が解決しようとする課題】
【０００５】
そもそも生体情報を測定した測定データは、気温や湿度などの測定条件を反映するものであり、これら測定条件を含めてはじめてデータとしての価値を有するものと考えられる。したがってこのような測定条件を含んだ生体情報のデータを収集し蓄積できれば有用なデータベースを構築することができる。
【０００６】
しかしながら、前記従来のデータを収集するシステムでは、測定者が測定した測定データを収集装置が測定者ごとに管理するにとどまるものであり、測定条件選定の主導権、決定権は主に測定者に委ねられていた。そのため、測定者が生体情報を測定する意味や意義を理解していない場合や測定データについて理解していない場合、収集者側の意図に関わらず測定者側だけの判断に基づく測定条件で生体情報を測定してしまう場合など、不適切な測定条件の下に測定が行われることが多々発生する。
【０００７】
このような状況下の従来の生体情報データ収集システムでは、収集した測定データの中には測定条件が所望の条件とはかけ離れた信頼性の低い測定データが含まれることとなる。従って、このような信頼性の低い測定データに基づいて構築されたデータベースを解析して作成される情報は、必ずしも有益なものとはならない。
【０００８】
このように、データベース構築のための測定データの収集に際し、特に測定の主導権や決定権が測定者に依存するような生体情報を一定の測定条件のもと正確に収集するのは非常に困難である。
【０００９】
さらにまた、測定者は生体情報の測定自体や、この生体情報に基づく解析結果を提供してもらう為にその代価を支払う必要があり、これが測定データを広く収集することを困難にする要因ともなっている。
【００１０】
本発明は、前記従来の課題を解決するもので、より有益で信頼性の高い生体情報を広く収集することを可能とし、収集した生体情報を基に、より健康管理に貢献できるデータベースの構築に寄与する生体情報処理装置を提供することを第１の目的とする。
【００１１】
また、本発明の第２の目的は、有益な生体情報を収集しつつ、測定者の生体情報の測定やその解析結果の取得により発生する金銭的負担を軽減する生体情報処理システムを提供することにある。
【課題を解決するための手段】
【００１２】
前記従来の課題を解決するために、本発明の生体情報処理装置は、測定者の生体情報を測定する生体情報測定手段と、前記生体情報測定手段で生体情報を測定する際の指定条件を前記測定者に通知する指定条件通知手段と、前記測定者が前記生体情報測定手段で生体情報を測定したときの測定条件を自動的に認識する測定条件認識手段と、前記指定条件通知手段で通知した前記指定条件と、前記測定条件認識手段で認識した前記測定条件とを比較する条件比較手段と、前記条件比較手段で比較した比較結果を提示する提示手段とを備える。
【００１３】
本構成により、生体情報の種類やその処理結果の目的に応じた測定条件を指定条件として測定者に通知することができる。これにより、測定者は指定条件をあらかじめ知ることができ、測定への理解を深め、さらに測定にかかわる諸準備を容易にし、指定条件に従った測定を容易に行うことが可能となる。
【００１４】
また、生体情報測定手段で実測した際の測定条件と前記指定条件とを比較しその結果を提示することで、指定条件にしたがって生体情報が測定されたかどうかを測定者が認識することができる。
【００１５】
これにより、測定者が指定条件の重要性などを認識し、指定条件に従って正確に生体情報を測定しようという意思を醸成することが可能となるため、測定者により測定される生体情報の信頼性向上につながる。
【００１６】
前記生体情報処理装置はさらに、前記条件比較手段での比較結果に基づき、前記指定条件に対する遵守度合を作成する遵守度合作成手段を備え、前記提示手段は、前記遵守度合作成手段で作成された遵守度合を提示してもよい。
【００１７】
本構成により、指定条件と測定条件との比較結果を単に示すのではなく、指定条件にしたがって生体情報が測定されたかどうかを具体的に提示することが可能となり、測定者にとって有用な情報をもたらす正確な測定ができたかどうかを認識、確認しやすくする。また、遵守度合を定量化することで、測定結果の信頼性の評価の目安となる。
【００１８】
前記生体情報処理装置はさらに、自動では認識できない付加情報が入力される付加情報入力手段を備え、前記条件比較手段は、前記指定条件と前記付加情報とを比較しても良い。
【００１９】
本構成により、生体情報を測定したのは朝食から何時間後とか、今日は体がだるいなどの生体情報処理装置では自動で認識できない付加情報をも取得することができ、この付加情報と指定条件とを比較し、比較結果や遵守度合を提示することができるため、測定者に生体情報測定の意義をさらに認識させ、測定時にそれを確認させることができる。
【００２０】
前記生体情報処理装置はさらに、前記生体情報測定手段で測定した前記生体情報と、前記測定条件認識手段で作成した前記測定条件と、前記付加情報入力手段で入力された前記付加情報とを対応づけて記憶する情報蓄積手段と、前記遵守度合に基づき前記情報蓄積手段に前記生体情報、前記測定条件及び前記付加情報を蓄積するか否かを判断する蓄積判断手段とを備えても良い。
【００２１】
本構成により、例えば指定条件に合致して測定された生体情報のみを測定条件や付加情報と共に蓄積することで、この蓄積されたデータから測定者の体調や病歴などを正確に把握することが可能となる。したがって、より有益で信頼性の高い生体情報を収集することが可能となり、より健康管理に貢献できるデータベースの構築に寄与することができる。
【００２２】
前記生体情報処理装置はさらに、前記遵守度合に基づき再測定するか否かを判断する再測定情報作成手段を備え、前記提示手段は、前記再測定情報作成手段が再測定の必要ありと判断して再測定情報を作成した場合に、当該再測定情報を提示しても良い。
【００２３】
本構成により、指定条件に合致した正確な生体情報を容易に取得することが可能となる。
【００２４】
前記生体情報処理装置はさらに、前記測定者が指定条件にしたがって測定する意欲を向上させるフィードバック情報を前記遵守度合に基づき作成するフィードバック情報作成手段を備え、前記提示手段は、前記フィードバック情報を提示しても良い。
【００２５】
本構成により、換金可能なポイントなどのフィードバック情報を見返りとして測定者に期待させることにより、より正確に指定条件に従って生体情報を測定する意欲を向上させることが可能となる。
【００２６】
前記従来の課題を解決するために、本発明の生体情報処理システムは、生体に関連する情報を測定者から取得する生体情報測定装置と、この生体情報測定装置と媒介物を経て情報の授受がなされ、前記生体情報を収集する生体情報収集装置とを備え、前記生体情報収集装置は、前記生体情報測定装置で生体情報を測定する際の指定条件を作成する指定条件作成手段と、前記指定条件を出力する収集装置側出力手段とを備え、前記生体情報測定装置は、前記指定条件を入力する測定装置側入力手段と、前記測定者の生体情報を測定する生体情報測定手段と、前記指定条件作成手段で作成された前記指定条件を前記測定者に通知する指定条件通知手段と、前記測定者が前記生体情報測定手段で前記生体情報を測定したときの測定条件を自動的に認識する測定条件認識手段と、前記生体情報と前記測定条件とを出力する測定装置側出力手段とを備え、前記生体情報収集装置は、さらに、前記生体情報と前記測定条件とを入力する収集装置側入力手段と、前記指定条件と前記測定条件とを比較する条件比較手段とを備え、前記収集装置側出力手段は、前記条件比較手段で比較した結果を出力する。
【００２７】
本構成により、生体情報収集装置は指定条件を作成し、指定条件を測定者に通知することができる。このように測定者に指定条件を通知することで、測定者は指定条件をあらかじめ知ることができ、測定への理解を深め、さらに測定にかかわる諸準備を容易にし、生体情報収集装置が作成した指定条件に従った測定を容易に行うことが可能となる。
【００２８】
また、生体情報測定手段で実測した際の測定条件と前記指定条件とを比較しその結果を出力することで、指定条件にしたがって生体情報が測定されたかどうかを測定者が認識することができる。これにより、測定者が指定条件の重要性などを認識し、指定条件に従って正確に生体情報を測定しようという意思を醸成することが可能となるため、測定者により測定される生体情報の信頼性向上につながる。
【００２９】
生体情報収集装置はさらに、前記条件比較手段での比較結果に基づき、前記指定条件に対する遵守度合を作成する遵守度合作成手段を備え、前記収集装置側出力手段は、前記遵守度合作成手段で作成された前記遵守度合を出力してもよい。
【００３０】
本構成により、指定条件と測定条件との比較結果を単に示すのではなく、指定条件にしたがって生体情報が測定されたかどうかを具体的に出力することが可能となり、測定者にとって有用な情報をもたらす正確な測定ができたかどうかを認識、確認しやすくする。また、遵守度合を定量化することで、測定結果の信頼性の評価の目安となる。
【００３１】
生体情報収集装置はさらに、前記生体情報と前記測定条件とを対応づけて記憶する情報蓄積手段と、前記遵守度合に基づき前記情報蓄積手段に前記生体情報及び前記測定条件を蓄積するか否かを判断する蓄積判断手段とを備えてもよい。
【００３２】
本構成により、指定条件に対する遵守度合の高い生体情報のみを蓄積することができ、非常に有効な情報を得ることができる。したがって、より有益で信頼性の高い生体情報を収集することが可能となり、より健康管理に貢献できるデータベースの構築に寄与することができる。
【００３３】
生体情報収集装置は、通信網を媒介物として、生体情報測定装置から生体情報を収集はしてもよい。また、生体情報収集装置は、持ち運び可能な記憶媒体を媒介物として、生体情報測定装置から生体情報を収集はしてもよい。
【００３４】
生体情報測定装置はさらに、自動では認識できない付加情報が入力される付加情報入力手段を備え、前記測定装置側出力手段はさらに、前記付加情報を出力し、前記収集装置側入力手段はさらに、前記付加情報を入力し、前記条件比較手段はさらに、前記指定条件と前記付加情報とを比較してもよい。
【００３５】
生体情報収集装置はさらに、前記測定者が指定条件にしたがって測定する意欲を向上させるフィードバック情報を前記遵守度合に基づき作成するフィードバック情報作成手段を備え、前記収集装置側出力手段は、前記フィードバック情報を出力してもよい。
【００３６】
前記従来の課題を解決するために、本発明の生体情報収集装置は、生体に関連する情報を測定者から取得する生体情報測定装置から生体情報を収集する生体情報収集装置であって、前記生体情報測定装置で生体情報を測定する際の指定条件を作成する指定条件作成手段と、前記指定条件を出力する出力手段と、前記測定者が前記生体情報測定装置で測定した生体情報と前記生体情報を測定したときの測定条件とを前記生体情報測定装置から取得する入力手段と、前記指定条件と前記測定条件とを比較する条件比較手段とを備え、前記出力手段は、前記条件比較手段で比較した結果を出力する。
【００３７】
本構成により、生体情報の種類やその処理結果の目的に応じた測定条件を指定し、測定者に通知することができる。このように測定者に指定条件を通知することで、測定者は指定条件をあらかじめ知ることができ、測定への理解を深め、さらに測定にかかわる諸準備を容易にし、生体情報収集装置が作成した指定条件に従った測定を容易に行うことが可能となる。
【００３８】
また、生体情報測定装置で実際に測定した際の測定条件と前記指定条件とを比較しその結果を出力することで、指定条件にしたがって生体情報が測定されたかどうかを測定者が認識することができる。これにより、測定者が指定条件の重要性などを認識し、指定条件に従って正確に生体情報を測定しようという意思を醸成することが可能となるため、測定者により測定される生体情報の信頼性向上につながる。
【００３９】
生体情報収集装置はさらに、前記条件比較手段での比較結果に基づき、前記指定条件に対する遵守度合を作成する遵守度合作成手段を備え、前記出力手段は、前記遵守度合作成手段で作成された前記遵守度合を出力してもよい。
【００４０】
本構成により、指定条件と測定条件との比較結果を単に示すのではなく、指定条件にしたがって生体情報が測定されたかどうかを具体的に出力することが可能となり、測定者にとって有用な情報をもたらす正確な測定ができたかどうかを認識、確認しやすくする。また、遵守度合を定量化することで、測定結果の信頼性の評価の目安となる。
【００４１】
生体情報収集装置はさらに、前記生体情報と前記測定条件とを対応づけて記憶する情報蓄積手段と、前記遵守度合に基づき前記情報蓄積手段に前記生体情報及び前記測定条件を蓄積するか否かを判断する蓄積判断手段とを備えてもよい。
【００４２】
本構成により、指定条件に対する遵守度合の高い生体情報のみを蓄積することができ、非常に有効な情報を得ることができる。したがって、より有益で信頼性の高い生体情報を収集することが可能となり、より健康管理に貢献できるデータベースの構築に寄与することができる。
【００４３】
前記従来の課題を解決するために、本発明の生体情報処理方法は、測定者が生体情報を測定する際の指定条件を前記測定者に通知するステップと、前記測定者の前記生体情報を測定するステップと、前記生体情報を測定したときの測定条件を自動的に認識するステップと、前記指定条件と前記測定条件とを比較するステップと、前記条件比較手段で比較した比較結果を提示するステップとを含む。
【００４４】
前記従来の課題を解決するために、本発明は、上記の生体情報処理方法に含まれるステップをコンピュータに実行させるための生体情報処理プログラムに関する。
【発明の効果】
【００４５】
以上のように、本発明によれば、特に医学的な知識を持たない者でも今後の健康状態の予測推移を確認することができる。従って、この予測変化パターンは、健康状態の推移によって左右される今後の予定の作成や変更などに大いに役立つ。例えば、風邪で発熱した際に、何日後に熱が下がり通常の健康状態に回復するかを見積もれれば、予定の作成や変更の際に参考にすることができる。
【００４６】
さらに、過去の生体情報として、被検者本人だけでなく他の被検者の生体情報を利用することもできるので、インフルエンザや食中毒等の感染症に感染した場合においては、既に感染して回復した他人の健康状態の推移を参考にして、本人の今後の健康状態の推移を予測できるので、精度の高い予測パターンを作成することができる。
【００４７】
サーバ側通信手段に参照情報蓄積手段を設け、複数の被検者の生体情報をリアルタイムに通信網を介して収集し、被検者全体の生体情報の変化から予測変化パターンを作成するので、予測変化パターンの提供先である個人、医療機関、公共機関および企業等では、この予測変化パターンを参照することによって、例えば、ウイルスを含む微生物による感染症（例えば、インフルエンザや食中毒等）の症状の推移を的確に把握できる。これにより、個人、医療機関、公共機関および企業等は、個人や社会全体の健康管理のために、より有効でタイムリーな対策を講じることができ、さらに、今後のあらゆるスケジュール作成に役立てることができるという効果がある。
【発明を実施するための最良の形態】
【００４８】
以下本発明の実施の形態について、図面を参照しながら説明する。
【００４９】
（実施の形態１）
図１は、本発明の実施形態における生体情報処理装置１０１である手首式血圧計の構成を示すブロック図である。
【００５０】
この血圧計は、手首部に本体を巻きつけ、手首部を圧迫して血圧を測定する装置であり、生体情報測定部１０２と、測定条件認識部１０３と、付加情報入力部１０６と、指定条件通知手段及び提示手段として機能する測定者通知部１０７と、指定条件記憶部１２１と、測定条件比較部１０８と、遵守度合作成部１１５と、情報蓄積部１１６と、再測定情報作成部１２０と、情報解析部１１２とを概ね備えている。
【００５１】
生体情報測定部１０２は、心臓の鼓動情報である脈派情報を検出する脈派センサと、その出力信号の解析処理を実行する変換機やＭＰＵ（microprocessing unit）とで構成されている。
【００５２】
測定条件認識部１０３は、測定姿勢を検出するセンサと、計時部で構成されている。
測定姿勢を検出するセンサとしては、脈派測定位置の高さを検出できるものであればよく、例として、傾きセンサや心音センサを利用したものが挙げられるが、本実施の形態では特にその種類を限定しない。計時部は、測定を行った日時の他、測定に費やした時間も測定条件として作成できるものである。
【００５３】
付加情報入力部１０６は、測定条件認識部１０３で自動的に測定できない情報を、測定者が入力する処理部である。例えばこの付加情報入力部１０６では、食事時間、食事内容、仕事が忙しい、疲れている、喫煙の有無などの情報を入力することが可能である。
【００５４】
指定条件記憶部１２１は、生体情報処理装置１０１で測定すべき条件を指定条件として記憶する処理部であり、ＲＯＭなどの記憶媒体である。
【００５５】
指定条件とは、生体情報処理装置１０１で測定すべき条件、例えば、測定すべき項目やその頻度、間隔、使用する試薬や測定機器の設定状態などの測定に関する情報のことである。
【００５６】
本実施の形態では、指定条件は、血圧測定時の測定姿勢であり、心臓と同じ高さに測定装置を設置し、測定するよう指示するプログラムの構成をとっている。
【００５７】
指定条件記憶部１２１は、指定条件と、その指定条件で測定をするように生体情報処理装置１０１を制御するプログラムが記憶されており、また、提示手段としての測定者通知部１０７にて測定者に指定条件を表示する。
【００５８】
測定者通知部１０７は、指定条件を測定者に通知する提示手段としての処理部である。具体的な通知手段としては、文字や絵による表示や、音や光による通知でもよい。
【００５９】
測定条件比較部１０８は、生体情報を実測した際の測定条件や付加情報と指定した指定条件とを比較して、測定者が指定条件にしたがって測定したかどうか判断する処理部である。
【００６０】
本実施の形態では、測定条件比較部１０８は、指定条件記憶部１２１から指定条件の入力を得、測定条件認識部１０３から測定条件の入力を得て、さらに付加情報を比較する。
【００６１】
遵守度合作成部１１５は、測定条件比較部１０８の比較結果や他の項目をも考慮して測定者が指定条件にしたがって測定したかどうかの遵守度合を作成する処理部である。
【００６２】
この遵守度合いとは、測定者が指定条件にしたがって測定したかどうかを示すものであり、生体情報を実測した際の測定条件や付加情報と指定条件とを比較することで、測定者が指定条件に従ったかどうかを判断して作成されるものである。このとき、実測の生体情報を加味して遵守度合いを作成しても良い。例えば、実測した生体情報が通常の値からかけ離れているときは遵守度合は低いものとなる。
【００６３】
再測定情報作成部１２０は、遵守度合があまりに低い場合、その測定に対する信頼性が低くなるため、適宜遵守度合の下限を定め、遵守度合が下限を切っていた場合再測定情報を作成する処理部である。この再測定情報が作成された場合は測定者通知部１０７に通知されるものである。
【００６４】
情報蓄積部１１６は、測定条件と生体情報とを対応づけて記憶するハードディスク装置などの不揮発メモリである。また、この情報蓄積部１１６は、前記情報の他、個人情報や付加情報、遵守度合、解析情報などをそれぞれ対応づけて記憶する形態をとってもよい。
【００６５】
この情報蓄積部１１６には、図示しない蓄積判断手段が備えられている。この蓄積判断手段は遵守度合を判断し一定の遵守度合を満たした生体情報およびそれに関連する情報のみを情報蓄積部１１６に蓄積する処理部である。
【００６６】
情報解析部１１２は、測定条件や付加条件などに基づいて生体情報を解析し、対応する医療情報などを作成する処理部である。
【００６７】
図２は、本実施の形態で用いる生体情報測定機器の一例を示す模式図である。これは、手首式血圧計であって、手首に測定器を巻きつけ血圧を測定し、その測定値を測定者通知部１０７に表示する機能を備えている。
【００６８】
図３は、測定者通知部１０７が備える表示画面２００を示したものである。表示画面２００は、指定条件表示部２０１と、測定値表示部２０２、情報表示部２０３とを備えている。
【００６９】
指定条件表示部２０１は、指定条件を表示する表示部である。本実施形態の場合、測定時の姿勢や手首式血圧計の高さ、リラックス状態とするための方法などが表示される。
【００７０】
測定値表示部２０２は、生体情報測定部１０２で測定している実測値を表示する表示部である。
【００７１】
情報表示部２０３は、指定条件への遵守度合などを表示する表示部である。
次に本実施の形態における生体情報の処理手順を、測定者の血圧管理のために血圧を測定する手順を例として説明する。
【００７２】
図４は、生体情報処理装置１０１が指定条件を受け付けた後の処理動作とデータの流れを示す図である。指定条件には、血圧を測定するときの正しい姿勢、具体的には手首に巻いた血圧計を心臓と同じ高さに設置し測定を行うようにとの指示が含まれる。
【００７３】
生体情報処理装置１０１において、指定条件記憶部１２１に記憶されている指定条件が指定条件表示部２０１に表示される（Ｓ７０１）。
【００７４】
この表示により、測定者に対し指定条件にしたがって測定を行うことを促すことができる。また、測定者は指定条件をあらかじめ通知されるので、測定者が測定条件などへの理解を深め、さらに測定に関わる諸準備を容易にし、指定条件の下測定を行わせることが容易となる。
【００７５】
次に、測定者は生体情報測定部１０２によって生体情報としての血圧を測定する（Ｓ７０２）。同時に、血圧を測定した際の測定条件の認識も自動的に行う（Ｓ７０３）。センサにより、脈派測定位置の高さを検出する。さらに測定に応じて、測定された日時や気温、湿度などの測定条件を作成する。
【００７６】
これら測定の完了後、付加情報を入力する（Ｓ７０４）。例えば、安静であるか否か、寝不足であるか否かなどである。この付加情報の入力により測定された血圧値がどのような環境や状態に基づき得られたものであるかをより詳細に把握することが可能となる。
【００７７】
この測定条件及び付加情報を指定条件と比較する（Ｓ７０５）。例えば、脈派測定位置が指定条件で指定したように心臓の高さで行われているかがチェックされる。具体的には、生体情報処理装置１０１に設けられている傾きセンサから、手首式血圧計の傾きが取得でき、当該傾きから、血圧計が取り付けられた腕が所定の角度に曲げられていることが類推できる。そして、腕の曲げ角度からおおよその心臓と手首の位置が類推でき、これを血圧計の高さとして判断している。
【００７８】
次に、遵守度合作成部１１５は、この条件比較の結果を受けて、遵守度合を作成する（Ｓ７０６）。遵守度合は、例えば図５に示すように、測定値が常識的な値か否か、測定条件及び付加情報が指定条件とどれほど差があるかを段階的に評価し、これらを総合して算出される。
【００７９】
遵守度合が悪い、例えば正しい測定位置での測定が行われていないとか、測定値が通常からかけ離れている場合（Ｓ７０７：ＹＥＳ）、再測定情報を再測定情報作成部１２０が作成し（Ｓ７１２）、この情報が測定者通知部１０７に通知される（Ｓ７１３）。つまり、正しい姿勢で血圧を測定できていない場合、再測定の必要有りとの情報を作成する。測定者通知部１０７には、「測定位置が正しくありません。再測定の必要があります。心臓の高さに血圧計の位置を設置し、もう一度血圧測定を行ってください。」などのメッセージが表示される。
【００８０】
そして、この場合、自動的に生体情報の再測定が行われる（Ｓ７０２）。
一方、遵守度合が良く再測定が不要の場合（Ｓ７０７：ＮＯ）、測定値表示部２０２にリアルタイムに測定値が示される（Ｓ７０８）。
【００８１】
次に、本実施形態の場合、遵守度合の良好な情報のみ取得できているため、これらの情報を情報蓄積部１１６に蓄積する（Ｓ７０９）。この情報蓄積部１１６には、あらかじめ入力されている性別、年齢、職業などの測定者の情報と共に生体情報である血圧と測定条件及び付加情報が対応づけられて蓄積される。
【００８２】
次に、情報解析部１１２は情報蓄積部１１６から生体情報や対応する測定条件を抽出し、解析情報を作成する（Ｓ７１０）。また、フィードバック情報作成部（図示せず）が遵守度合や情報解析部１１２の解析結果などに基づきフィードバック情報を作成し、これらの情報も情報蓄積部に蓄積される。要すれば、この情報は、ボタン操作で呼び出し、表示部に表示させることができる（Ｓ７１１）。
【００８３】
上述の生体情報処理装置１０１によれば、測定者は正しい測定条件のもと生体情報を測定することができ、正しい生体情報のみが測定条件などと共に蓄積される。従って、これらを解析すれば、正確な体調を把握することができるようになる。
【００８４】
また、例えば測定が正確であればあるほどフィードバック情報としての課金情報が低くなれば、より正確に測定しようとする意欲を高めることができる。
【００８５】
なお、当該血圧計を所定の機関に預け、その機関が蓄積されたデータを収集することにより、フィードバック情報としての課金情報に基づき商品券などを測定者に送れば、収集側の機関は正確な情報を収集することができ、測定者側は商品券などを入手することができるため、効果的である。
【００８６】
（実施の形態２）
図６は、本発明の実施形態における生体情報処理システムのブロック図である。この生体情報処理システムは、複数台の生体情報測定装置１０１とこれに媒介物としての通信網１３０で接続された生体情報収集装置１１０とを備えており、生体情報を広く収集し処理することができるシステムである。なお、図６には生体情報測定装置１０１が１台記載されているが、図示しない他の測定装置１０１も同様の構成を備え通信網１３０に接続されている。
【００８７】
前記生体情報測定装置１０１は、測定者の近辺に設置され、生体情報および測定時の測定条件を生体情報収集装置１１０に送信する装置であり、生体情報測定部１０２と、測定条件作成部１０３と、測定側送信部１０４と、指定条件受信部１０９と、測定者通知部１０７と、個人情報入力部１０５と、付加情報入力部１０６と、測定制御部１０８とを概ね備えている。
【００８８】
生体情報測定部１０２は、図示しない測定機器を備えており、測定者の生体情報を測定するものである。測定する生体情報の種類は特に限定はされないが、例えば、体重や体温や体脂肪や血圧などの他、尿などの排泄物から得られる生体情報であっても良い。したがって、これらの生体情報を直接測定する測定機器としては、体重計、体温計、体脂肪計、血圧計、尿分析計、大便粘度計などが挙げられる。
【００８９】
測定条件作成部１０３は、測定した生体情報に対応した測定条件を自動的に作成する測定条件認識手段としての処理部である。この測定条件作成部１０３には、図示しない計時部が備えられている。この計時部は、測定を行った日時の他、測定に費やした時間も情報として作成できるものである。
【００９０】
個人情報入力部１０５は、マンマシンインターフェースを備え、性別、年齢、職業など個人を識別する情報を入力して個人情報を作成する処理部である。
【００９１】
付加情報入力部１０６は、生体情報測定部１０２で測定できない生体情報や、測定条件作成部１０３で作成できない情報を、測定者が入力する処理部である。例えばこの付加情報入力部では、食事時間、食事内容、仕事が忙しい、疲れている、喫煙の有無などの情報を入力することが可能である。
【００９２】
この付加情報入力部１０６は図示しない表示部と表示部に対応した選択部を備えており、表示部に表示された情報をこれに対応づけられた選択部で選択するだけで付加情報を作成できるものとなされており、さらに、この表示される情報は、後述する指定条件に対応して図示しない項目変更手段により変更されるものである。
【００９３】
測定側送信部１０４は、前記生体情報と測定条件や個人情報、付加情報とを対応づけて生体情報収集装置１１０に送信する測定装置側出力手段としての処理部である。
【００９４】
指定条件受信部１０９は、生体情報収集装置１１０から送信される指定条件を受信する測定装置側入力手段としての処理部である。
【００９５】
測定制御部１０８は、受信した指定条件に基づき生体情報測定部１０２を制御する処理部であり、生体情報測定部１０２を制御するプログラムによって実現されている。
【００９６】
測定者通知部１０７は、生体情報収集装置１１０から送信された指定条件を測定者に通知する処理部である。具体的な通知手段としては、文字や絵による表示や、音や光による通知でもよく、また、電子メール、FAXなどの手段によって指定条件を取得し測定者に通知するものでもよい。また、生体情報測定装置１０１にこの通知部１０７を設ける場合の他、測定者が持ち歩ける携帯電話を通知部１０７として利用することも可能である。
【００９７】
一方、生体情報収集装置１１０は、複数台の生体情報測定装置１０１から送信された生体情報等を受信して、この情報を処理するものであり、収集装置側入力手段としての収集側受信部１１１と、情報解析部１１２と、収集装置側出力手段としての収集側送信部１１３と、指定条件作成部１１４と、遵守度合作成部１１５と、情報蓄積部１１６と、再測定情報作成部１２０と、フィードバック情報作成部１１７と、課金情報作成部１１８と、情報計算部１１９とを概ね備えている。
【００９８】
収集側受信部１１１は、前記生体情報等を受信する処理部であり、通信網１３０に接続されている。
【００９９】
指定条件作成部１１４は、生体情報測定装置１０１で測定すべき測定条件などを作成する処理部である。例えば、測定すべき項目やその頻度、間隔、使用する試薬や測定機器の設定状態などの指定情報を作成するものである。
【０１００】
遵守度合作成部１１５は、実測した測定条件と指定した指定条件とを比較したり付加情報をも考慮したりして測定者が指定条件にしたがって測定したかどうかの遵守度合を作成する処理部である。この遵守度合いとは、測定者が指定条件にしたがって測定したかどうかを示すものであり、実測した生体情報の測定条件と指定した測定条件とを比較することで、測定者が指定条件に従ったかどうかを判断して作成されるものである。このとき、実測の生体情報を加味して遵守度合いを作成しても良い。
【０１０１】
再測定情報作成部１２０は、遵守度合があまりに低い場合、その測定に対する信頼性が低くなるため、適宜遵守度合の下限を定め、遵守度合が下限を切っていた場合再測定情報を作成する処理部である。この再測定情報が作成された場合は後述の収集側送信部１１３を用いて測定者通知部１０７に通知されるものである。
【０１０２】
情報蓄積部１１６は、測定条件と生体情報とを対応づけて記憶するハードディスク装置などの不揮発メモリである。また、この情報蓄積部１１６は、前記情報の他、個人情報や付加情報、遵守度合、解析情報解、後述する課金情報やフィードバック情報などを個人情報に対応づけて記憶している。
【０１０３】
この情報蓄積部１１６には、図示しない蓄積判断手段が備えられている。この蓄積判断手段は遵守度合を判断し一定の遵守度合を満たした生体情報およびそれに関連する情報のみを情報蓄積部１１６に蓄積する処理部である。
【０１０４】
情報解析部１１２は、測定条件や付加条件などに基づいて生体情報を解析し、対応する医療情報などを作成する処理部である。
【０１０５】
フィードバック情報作成部１１７は、前記遵守度合作成部１１５で作成された遵守度合いに応じたフィードバック情報を作成する処理部である。この情報は遵守度合が高ければ高いほど測定者にとって有利なフィードバック情報が作成されるものである。また、このフィードバック情報は商品の購入やサービスの提供を受けるために必要な金額と１対１で対応したポイント情報であっても良い。
【０１０６】
このフィードバック情報作成部１１７には、図示しない情報選択手段が備えられている。この情報選択手段とは、フィードバック情報が適用できる商品やサービスの内容を測定者が適宜設定できるもので、前記個人情報入力部１０５によって設定されるものである。フィードバック情報が適用できる商品などとしては、試薬などの測定関連商品や解析情報の提供サービス等の他、マイレージのマイルや有価証券、天気予報サービスなど生体情報測定に関係しないものであってもよい。さらに、このポイントを電子マネーなど他のポイントシステムに変換できるようにしてもよい。
【０１０７】
課金情報作成部１１８は、生体情報等の蓄積やその解析に伴う費用を課金情報として作成する処理部である。
【０１０８】
情報計算部１１９は、前記課金情報と前記ポイント情報を計算する処理部である。
収集側送信部１１３は、前記指定条件を指定条件受信部１０９や測定者通知部１０７へ通信網１３０を介して送信する処理部である。また、指定条件の他、遵守度合やフィードバック情報、解析情報、課金情報、情報計算部１１９による計算結果などを測定者通知部１０７に送信する機能も併せ持っている。
【０１０９】
図７は、生体情報測定部１０２が備える測定機器の一例を示す模式図である。携帯測定部３００は血圧計であって、人体の腕部に巻き付けた状態で固定できる携帯性を備えた血圧計である。この血圧計は無線によって測定値を生体情報測定装置１０１に送信するものである。
【０１１０】
図８は、測定者通知部１０７が備える表示画面２００を示したものである。表示画面２００は、指定条件表示部２０１と、測定値表示部２０２、遵守度合などが表示される情報表示部２０３とを備えている。
【０１１１】
指定条件表示部２０１は、指定条件作成部１１４から送信される指定条件を表示する表示部である。
【０１１２】
測定値表示部２０２は、生体情報測定部１０２で測定している実測値を表示する表示部である。
【０１１３】
情報表示部２０３は、生体情報収集装置１１０から送信される遵守度合や指定条件で指定された測定回数の残数などが表示される表示部である。
【０１１４】
次に生体情報処理システムにおける生体情報の処理手順を、測定者の血圧管理のために血圧の日内変動を測定しこれを処理する手順を例として説明する。
【０１１５】
図９は、生体情報収集装置１１０において指定条件の作成処理動作とデータの流れを示す図である。
【０１１６】
生体情報収集装置１１０の指定条件作成部１１４は、生体情報測定装置１０１で測定すべき指定条件を作成し（Ｓ３０１）、この指定条件を指定条件受信部１０９および測定者通知部１０７に送信する（Ｓ３０２）。なお、この指定条件は、情報蓄積部１１６に蓄積されている過去のデータから自動で作成されても良く、また、図示しない入力手段によって任意に作成されても良い。
【０１１７】
前記指定条件には、あらかじめ測定者に血圧の日内変動を調べる旨、携帯測定部３００である血圧計を３日間装着し続ける旨、測定制御部１０８を作動させて一定時間ごとに血圧を測定させる情報等が含まれている。
【０１１８】
図１０は、生体情報測定装置１０１が指定条件を受信した後の処理動作とデータの流れを示す図である。
【０１１９】
生体情報測定装置１０１側において、指定条件受信部１０９および測定者通知部１０７が前記指定条件を受信する（Ｓ４０１）。
【０１２０】
指定条件の受信に応じて、測定制御部１０８が生体情報測定部１０２を制御し、測定条件などの設定を行う（Ｓ４０２）。
【０１２１】
同じく指定条件の受信に応じて、指定条件表示部２０１に指定条件が表示される（Ｓ４０９）。この表示により、測定者に対し指定条件にしたがって測定を行うことを促すことができ、測定者は血圧計３００を事前に装着することができる。また、測定者は指定条件をあらかじめ通知されるので、測定者が測定条件などへの理解を深め、さらに測定に関わる諸準備を容易にし、指定条件の下測定を行わせることが容易となる。
【０１２２】
次に、測定者は生体情報測定部１０２によって生体情報を測定する（Ｓ４０３）。血圧計３００は測定制御部１０８によって一定の間隔で血圧を測定するよう制御されているため、測定者が血圧計３００を外すか、故障となるなどの異常が発生する以外は指定条件に従い生体情報が測定され、測定値が生体情報測定装置１０１に送信されることとなる。
【０１２３】
血圧が測定されれば、測定値表示部２０２にリアルタイムにその値が示される（Ｓ４１０）。
【０１２４】
この測定に応じて測定条件作成部１０３は、測定された日時や気温、湿度などの測定条件を作成する（Ｓ４０５）。
【０１２５】
一連の測定終了後、測定者は個人情報入力部１０５によって個人情報を入力し（Ｓ４０６）、さらに付加情報を入力する（Ｓ４０７）。この個人情報の入力と付加情報の入力により測定された血圧値がどのような環境や状態に基づき得られたものであるかをより詳細に把握することが可能となる。
【０１２６】
最後に、生体情報収集装置１１０に向けて測定側送信部１０４が上記すべての情報を送信する（Ｓ４０８）。
【０１２７】
図１１は、生体情報など各種情報を受信後の生体情報収集装置１１０の処理動作とデータの流れを示す図である。
【０１２８】
生体情報等の情報の受信（Ｓ５０１）に応じて、遵守度合作成部１１５は受信した測定条件と事前に指定した指定条件を比較して、遵守度合を作成する（Ｓ５０２）。本実施形態の場合、一定時間ごと連続して一日中血圧を測定していることが確認できれば、指定条件遵守度合い１００％と判断している。そして、連続測定が２日に渡れば遵守度合い２００％と、３日間連続で測定できれば遵守度合い３００％と判断される。つまり血圧を連続して測定した時間をＸとし、一時間に１回測定するという指定条件であれば、｛（X-２４）/２４ + １｝×１００ (%) の式で遵守度合が算出される。さらに、この式により導出された遵守度合が高い値であるにもかかわらず、生体情報の測定値が生体の取りうる範囲をはるかに逸脱している場合などは遵守度合を低下させる処理がなされる。
【０１２９】
そして、前記遵守度合が一定値を下回った場合（Ｓ５０７：ｙｅｓ）、再測定情報を再測定情報作成部１２０が作成し、この情報が測定者通知部１０７に送信される（Ｓ５０８）。つまり、血圧を測定した回数が所定回数に満たない場合、血圧の日内変動を調べるデータが不足していると判断されるため、再測定の必要有りとの情報を作成する。当該情報を受信した測定者通知部１０７には、「データ不足のため、血圧の日内変動を調べることができません。再測定の必要があります。測定機器が正確に作動しているかチェックし、連続して１日以上３日以内血圧計を装着し、データを送信して下さい。」などのメッセージが表示される。
【０１３０】
次に、再測定が不要の場合（Ｓ５０７：ｎｏ）、前記遵守度合に応じてフィードバック情報が作成される（Ｓ５０４）。
【０１３１】
一方、生体情報収集装置１１０から送信された情報は、情報蓄積部１１６に蓄積される（Ｓ５０３）。この情報蓄積部１１６は、あらかじめ入力されている性別、年齢、職業などの測定者の情報ごとに生体情報などを蓄積する。
【０１３２】
情報解析部１１２は情報蓄積部１１６から生体情報や対応する測定条件を抽出し、解析情報を作成する（Ｓ５０５）。そして、蓄積した生体情報や解析した解析情報に基づいて課金情報作成部１１８が課金情報を作成する（Ｓ５０６）。
【０１３３】
次に、情報計算部１１９が前記課金情報とフィードバック情報とを計算処理し、計算情報を作成する（Ｓ５０９）。最後に、解析情報や課金情報、フィードバック情報、計算情報が収集側送信部１１３により測定者通知手段１０７に向けて送信される（Ｓ５１０）。
【０１３４】
図１２は、生体情報収集装置１１０で作成された各種情報を受信した後の生体情報測定装置１０１における処理動作を示す図である。
【０１３５】
前記各種情報は、測定者通知部１０７によって受信され（Ｓ６０１）、図１３に示す表示画面２００に、遵守度合やこれから必要な測定残数等などの情報が表示される（Ｓ６０２）。図１３に示すように、遵守度合から得られるフィードバック情報（ポイント情報）や解析情報を表示することで、指定条件に従った結果が直感的に把握でき、次回の測定に向けて指定条件を遵守する励みとなる。
【０１３６】
また、図１３に示すように、測定者通知部１０７の表示画面２００には、課金情報、解析情報なども併せて表示される。解析情報の内容は測定値に関するものにとどまらず適宜設定される。花粉情報や感染症情報など季節に応じた健康情報や病気や薬に関する情報でもよい。
【０１３７】
上述の生体情報処理システムにより、測定者は自らの生体情報を提供し管理してもらうだけにとどまらず、より有益で信頼性の高い情報を得ることも可能となる。さらに、指定条件にしたがって生体情報の測定をきちんと行えば、ポイント情報を取得することができ、前記有用な情報の取得や、測定機器に必要な試薬やメンテナンス用品の購入などに必要な費用をポイント情報で相殺することで、より安価または無料で上記情報や用品を取得することも可能となる。また、これによって測定者はますます生体情報の測定を正確に行うようになるという効果を奏することができる。
【０１３８】
一方、情報収集側は、事前に測定すべき条件を指定条件として測定者に提供することで、測定者に生体情報を測定する意義や内容を十分に知らせることができ、また、測定に対して十分な準備を促すことができるため、測定者が正確に生体情報を測定することを期待することができる。しかも、実際の測定条件と指定した指定条件を比較して、その結果を測定者に示し、さらに、指定条件を遵守すればするほど高いポイント情報を付与するものとしているため、測定者がより正確に生体情報を測定することを期待することができる。ひいては、正確な条件に基づく生体情報は、測定者の健康状態の解析に有用ばかりでなく、収集したデータの信頼度を向上させ、より健康管理に貢献できるデータベースを構築することも可能となる。このデータベースは、測定者個人ごとに管理されるものであってもよいし、広く情報を提供するための基礎として利用することも可能である。
【０１３９】
なお、本実施形態では媒介物として通信網を例に挙げ説明したが、媒介物としては持ち運び可能な記憶媒体であっても良い。
【０１４０】
また、個人情報入力部１０５および付加情報入力部１０６は生体情報測定装置１０１に設けた場合を例示したが、この個人情報入力部１０５および付加情報入力部１０６を生体情報収集装置１１０のみに備えても、また、両方に備えても良い。特に付加情報入力部１０６により専門家の意見を書き込めるようにしてもよい。
【０１４１】
また、情報蓄積部１１６に認証機能を持たせ、パスワードなどのセキュリティを設けることで、閲覧許可の無い者に利用できないようにすることもできる。
【０１４２】
（実施の形態３）
次に、血糖計を備えた生体情報測定部１０２を使用した実施形態について説明を行う。なお、前記実施形態と同じ機能、同じ動作をする部分はその説明を省略する。
【０１４３】
血糖値は、食事、運動、その他によって一日のうちでも絶えず変動しているが、健常人では、ある一定範囲内（空腹時で６０〜１０９mg/dl、食後二時間後でも１４０mg/dl未満）に調節されている。通常は空腹時血糖値の基準範囲が血糖評価として用いられるが、空腹時血糖値が正常であっても食後血糖値が高値の場合もあり、糖尿病治療方針の決定には、日内変動の把握が必要である。
【０１４４】
図１４は、健常人、食後に高血糖が見られる患者Ａ、全体的に高血糖の状態が続く患者Ｂのそれぞれの日内変動パターンを示したグラフである。
【０１４５】
血糖値測定方法には、種々のものがあるが、大きく分けて、酵素比色法と酵素電極法の二つの種類がある。酵素比色法は、グルコースを酸化酵素と反応させ、最終産物の色素に特定波長の可視光線を当てて、その反射光の光量の減少をセンサで測定する方法であり、酵素電極法は、グルコースを酸化酵素か脱水素酵素と反応させ、最終産物のe-を陽極で電流値として測定する方法である。本実施形態では血糖値測定方法を特に限定しない。
【０１４６】
指定条件作成部１１４は、「血糖値の日内変動を調べるために、食前と食後２時間、睡眠前の計７回の血糖値を測定しなさい」という指定条件を、通信網１３０を介して測定者通知部１０７に送信する（Ｓ３０１、Ｓ３０２）。
【０１４７】
測定者は、各血糖値を測定するごとに、付加情報入力部１０６の入力手段を用いて食前、食後、睡眠前などの血糖値測定条件を入力する（Ｓ４０３、Ｓ４０５、Ｓ４０７）。この入力方法は、特に限定はしないが、あらかじめ測定条件ごとにボタンを用意し、それを押すようにしてもよいし、文字や音声で入力するようにしてもよい。
【０１４８】
測定者通知部１０７は、指定条件に従い、所定の時刻にブザー音などで測定者に通知する機能も備えている。この通知によって、測定者への測定タイミングの目安を提示することができ、より正確な生体情報の収集が可能となる。
【０１４９】
次に、測定側送信部１０４は、生体情報収集装置１１０に送信するための血糖値のデータを所定回数に達するまで保存する。所定回数に達した場合、測定側送信部１０４は、測定者によって入力された測定条件と、生体情報測定部１０２で測定した血糖値と、測定条件作成部１０３の時計機能を用いて得た血糖値採取時刻と、個人情報を共に生体情報収集装置１１０に送信する。なお、測定側送信部１０４はこれらの情報を測定ごとに送信するものとしても良い。
【０１５０】
前記情報を受信した生体情報収集装置１１０の遵守度合作成部１１５は、測定情報をチェックし、指定条件を遵守しているかの遵守度合を作成する（Ｓ５０２）。この遵守度合は、血糖値が所定回数分測定されているか、食前と食後２時間に測定されているかを判断し、いずれも満足している場合は遵守度合いを○として判断する。もし、×と判断されれば、血糖値の日内変動を調べるデータが不足しているため、再測定の必要有りとの判断を下し（Ｓ５０７）、測定通知部１０７に「データ不足のため、血糖値の日内変動を調べることができません。再測定の必要があります。測定機器が正確に作動しているかチェックし、再びデータを送信して下さい。」との通知を行う。
【０１５１】
この通知を受信する測定者通知部１０７は、生体情報測定装置１０１とは別体となされた、携帯電話であり、測定者への通知は電子メールで行われている。
【０１５２】
一方、情報解析部１１２は、生体情報測定装置１０１から送信された血糖値の解析を行う（Ｓ５０５）。食前血糖値１１０mg/dl未満を正常型、１１０mg/dl〜１２６mg/dlを境界型１２６mg/dl以上を糖尿病型と判断し解析情報として送信する。
【０１５３】
測定者通知部１０７は、送信された解析情報を受け、測定者に提示する（Ｓ６０２）。測定者は送信された測定条件や遵守度合いを確認することで、指定された指定条件を遵守したことを確認し、正確な測定を行った結果、血糖値により、糖代謝異常を判断することができることを理解する。このとき、解析情報に糖尿病などの病気や健康に関する情報を併せて配信してもよい。さらに情報解析部１１２は、情報蓄積部１１６から血糖値とそのデータ採取時刻を抽出して測定者通知部１０７に送信し、測定者通知部１０７はこれをグラフとして示しても良い。測定者は、示されたグラフにより血糖コントロールの目安に用いることができる。
【０１５４】
付加情報入力部１０６により、測定者が食事内容や、生体情報測定部１０２以外の装置で測定を行った健康に関するデータなどを付加データとして血糖値とともに送信する構成をとれば、情報蓄積部１１６に蓄積された生体情報等からなるデータベースは単なる血糖日内変動の記録にとどまらず、測定者の健康に関する情報を網羅したさらに充実したものとなる。
【０１５５】
また、使用者ごとの認識番号を配布し、生体情報を送信するごとに個人情報入力部１０５により入力された識別番号を送信し、生体情報はその装置の識別番号と共に情報蓄積部１１６に蓄積されるものとすると、この情報蓄積部１１６に認証機能を持たせ、パスワードなどのセキュリティを設けることで、閲覧許可の無い者に利用できないようにすることもできる。
【０１５６】
この実施形態によれば、指定条件により測定の意義を説明し、その遵守度合いを管理し、遵守度合いと解析情報とを併せて配信することにより、測定者の測定への理解を深め、指定条件に従った正確な測定値の収集が可能となり、これを基に測定値の解析に必要なデータベースを構築することが可能となる。
【０１５７】
（実施の形態４）
次に、健康トイレとして機能し尿測定部（図示せず）を備えた生体情報測定部１０２を使用した実施形態について説明を行う。なお、前記実施形態と同じ機能、同じ動作をする部分はその説明を省略する。
【０１５８】
体内の抗酸化システムで消去されきれない活性酸素により酸化ストレスが亢進すると、脂質、蛋白質、酵素、DNA、といった体の重要な成分が酸化され、これらの酸化損傷は細胞機能の低下や遺伝子の変異などを引き起こし、結果として老化や疾病につながると考えられている。遺伝子は、A（アデニン）、G(グアニン)、C(シトシン)、T(チミン) の４種類の塩基から構成されるが、最も酸化されやすいグアニンのヌクレオチド（dG＝デオキシグアノシン）が酸化された８-OHdGとなって尿中に排泄される。（図１５）この８-OHdGは活性酸素による生体酸化を鋭敏に反映するバイオマーカーといわれている。８-OHdG測定法としては、液体クロマトグラフィーや８-OHdGを特異的に認識するモノクローナル抗体を用いたELISA法などが例として挙げられる、本実施形態では８-OHdG測定方法を特に限定しない。
【０１５９】
本実施形態ではこのストレスマーカーを測定する場合を説明する。
まず、指定条件作成部１１４は「この測定は生体情報やその解析結果を広く提供することが目的であり、測定者の生体情報やその解析情報が測定者以外の不特定多数が利用する可能性がある。」との情報、「尿中８-OHdGとストレスの関連を調べる」との情報を作成し、予め測定者通知部１０７に通知し、さらに、「この測定に参加してくれる測定者を募集する」という情報を通知する。
【０１６０】
このように本実施形態では、あらかじめ指定条件を不特定多数の者に開示し、指定条件に賛同した者のみの生体情報を得る態様を採用している。そして、前記指定条件に賛同した者に対してのみ、尿中８-OHｄG測定に必要な測定試薬を送付し、健康トイレである生体情報測定部１０２で測定した生体情報を収集するという態様を採用している。
【０１６１】
次に、指定条件作成部１１４は指定条件「就寝前の尿を用いて８-OHｄGとクレアチニンを一日一回連続七日間測定し、ストレスに関するアンケートに毎日回答する。」を作成し、測定者通知部１０７に送信する。指定条件を受けた測定者通知部１０７は、このアンケートを表示させて、測定者は付加情報入力部１０６により当該アンケートの回答を入力する構成をとる。
【０１６２】
クレアチニンは、筋肉で産生される物質であり、ヒトの筋肉量に応じて一日の尿中への排泄量は、ほぼ一定の値になるといわれている。したがって、クレアチニンを一定の率で排泄される基準物質として利用すると、尿の希釈・濃縮の影響を補正でき、一日尿中排泄量を推定することが可能である。この尿中物質測定における基準物質であるクレアチニンに関する説明を測定者に通知してもよい。また、健康トイレを用いて生体情報の測定を行うとき常にクレアチニンを測定し、測定した生体情報の正規化に使用する構成をとってもよい。また、生体情報の正規化に用いる物質、物性はクレアチニンに限定するものではなく、測定対象物質や測定方法などにより適宜選択される。クレアチニン測定法は、化学的測定法（Jaffe法）と酵素的測定法に大別される。化学的測定法（Jaffe法）は、クレアチニンがアルカリ性下でピクリン酸と反応して、橙赤色に呈色する性質を利用している。酵素的測定法には、クレアチニンデアミナーゼ法とクレアチニンアミドヒドロラーゼ（クレアチニナーゼ）法がある。前者は、クレアチニンに酵素を作用させて、アンモニアを生成し比色法で測定する。後者は、クレアチニンをクレアチニナーゼでクレアチンに変えて、このクレアチンをザルコシンオキシダーゼやペルオキシダーゼを用いて比色法で測定する。本実施形態では測定方法を特に限定しない。
【０１６３】
測定者は、指定条件に従い毎日就寝前に生体情報測定部１０２により尿中の８-OHｄGとクレアチニンを測定する。測定側送信部１０４は、生体情報測定部１０２で測定した尿中８-OHｄGとクレアチニンと、測定条件作成部１０３の時計機能を用いて発生させた測定時刻と、付加情報入力部１０６を用いて入力したアンケート結果を、通信網１３０を介して生体情報収集装置１１０に送信する。
【０１６４】
遵守度合作成部１１５は、指定した測定項目を測定しているか、指定条件にしたがって測定しているか、アンケート回答率は何％かに基づき測定回数ごとに遵守度合を作成する。情報解析部１１２は、生体情報を解析し情報蓄積部１１６にこの解析情報を蓄積する。
【０１６５】
フィードバック情報作成部１１７は、遵守度合いに基づきポイント情報を作成し、測定者通知部１０７に送信する。このポイント情報は、測定関連商品や解析情報など生体情報測定に利用できる。このポイントはまた、マイレージのマイル、有価証券、天気予報サービスなど生体情報測定に関係しないものに利用可能なものであってもよい。測定者は、指定条件を遵守した測定を行うことで、ポイントの取得につながる。
【０１６６】
この実施形態によると、情報提供に対し報酬を与えることで広く測定者を募集することができ、さらに、測定者はより正確に生体情報を測定しようとする。これによって効果的かつ正確な情報収集を行うことができる。情報蓄積部１１６は、生体情報をアンケートの回答と関連付けて蓄積するため、有効なデータベースを構築することができる。これにより、生体情報に影響を与えうる因子や、解析に有用な情報を生体情報とともに蓄積でき、新規測定項目に関する新たな知見を広く収集できるため、より健康管理に貢献できるデータベースを構築することができる。
【０１６７】
以上のように、本実施形態では、尿中８-OHdGとストレスの関連を調べ、健康管理に貢献できるデータベースを構築する目的であったが、同様の形態をとり、測定者に測定条件を開示、測定参加者を募集することで、測定試薬の開発も可能である。
【０１６８】
なお、生体情報を広く収集し、情報を提供するためのデータベースを構築するといったように、測定者の生体情報やその解析情報が測定者以外の不特定多数が利用する可能性がある場合、測定者にあらかじめその旨を伝え、了承を取ったうえで、測定者の生体情報を得る必要があるが、当該測定者への情報利用の通知を、前記測定者通知部１０７を利用して行っても良く、また、その了承行為を、個人情報入力部１０５を用いて行っても良い。また、このデータベースは生体情報測定装置ごとに管理されてもよい。さらに個人識別情報を併せて登録することで、データベースを個人ごとに管理することもできる。
【産業上の利用可能性】
【０１６９】
本発明にかかる生体情報活用システムは、生体情報の将来的推移を予測する機能を有し、従業員全体の健康を管理するシステムや新薬の効果を確かめるために被検者の健康状態を把握するシステム等として有用である。
【図面の簡単な説明】
【０１７０】
【図１】本発明の実施形態における生体情報処理装置である手首式血圧計の構成を示すブロック図である。
【図２】本実施の形態で用いる生体情報測定機器の一例を示す模式図である。
【図３】測定者通知部が備える表示画面の画面例を示した図である。
【図４】生体情報処理装置１０１が指定条件を受け付けた後の処理動作とデータの流れを示す図である。
【図５】遵守度合の作成例を示す図である。
【図６】本発明の実施の形態における生体情報処理システムを示すブロック図である。
【図７】携帯測定部である血圧計を人が装着した状態を示す模式図である。
【図８】測定者通知部の表示状態を示す模式図である。
【図９】生体情報収集装置の指定条件作成までの処理動作とデータの流れを示す図である。
【図１０】生体情報測定装置の処理動作とデータの流れを示す図である。
【図１１】生体情報収集装置の処理動作とデータの流れを示す図である。
【図１２】生体情報測定装置の情報表示動作とデータの流れを示す図である。
【図１３】測定者通知部の他の表示状態を示す模式図である。
【図１４】血糖値の日内変動を表したグラフである。
【図１５】ｄGと８−OHｄGの変化の状態を化学式で示す図である。
【図１６】従来のデータ収集システムおよびデータ収集方法を示すブロック図である。
【符号の説明】
【０１７１】
１００  生体情報活用システム
１０１  生体情報計測部
１０２  計時部
１０３  被検者情報蓄積手段
１０４  参照情報蓄積手段
１０５  予測変化パターン作成部
１０６  出力部
１０７  計測部
１０８  生体情報識別コード付与部
１０９  被検者識別コード入力部
１１０  計測システム
１１２  被験者側通信部
１１３  位置情報付与部
１１４  データ更新部
１１５  被検者変化パターン作成部
１１６  参照変化パターン作成部
１１９  通信網
１２０  サーバ
１２１  サーバ側通信部
１２３  付加価値情報作成部
１２４  課金部
１２５  インセンティブ計算部
１２８  バス
２００  トイレ装置
２０１  計測装置本体部
２０２  便器
２０３  電極パッド
２０４  採尿・採便ロート
２０５  指挿入口
２０６  血液検査器
２０７  コントローラ
２０８  通信用ケーブル
【図１】
2005305134.tif 000003
【図２】
2005305134.tif 000004
【図３】
2005305134.tif 000005
【図４】
2005305134.tif 000006
【図５】
2005305134.tif 000007
【図６】
2005305134.tif 000008
【図７】
2005305134.tif 000009
【図８】
2005305134.tif 000010
【図９】
2005305134.tif 000011
【図１０】
2005305134.tif 000012
【図１１】
2005305134.tif 000013
【図１２】
2005305134.tif 000014
【図１３】
2005305134.tif 000015
【図１４】
2005305134.tif 000016
【図１５】
2005305134.tif 000017
【図１６】
2005305134.tif 000018